(57)【要約】【課題】幼児や老人あるいは婦人がラッシュアワー時の乗客に押されて顔や頭が支柱２などの建材を形成するＨ形鋼に触れたり、当たったりして怪我をするのを極力防止することができ、また形鋼特有の冷熱感を軽減し、形鋼の振動による振動音を軽減できる形鋼製建材用保護カバーを提供する。【解決手段】ウエブＷとフランジＦとによって形成されるＨ形鋼やＴ形鋼などの形鋼からなる支柱２や梁などの建材のフランジを外側から被う形鋼製建材用保護カバー１であって、フランジＦの両側端部に被嵌される合成樹脂製の一対の端部カバー部材３，３と、両端部カバー部材３，３間に嵌め込んで取り付けられる合成樹脂製の中間部カバー部材４とからなる。【選択図】図２
2005336926.tif 000002
【特許請求の範囲】
【請求項１】
ウエブとフランジとによって形成されるＨ形鋼やＴ形鋼などの形鋼からなる支柱や梁などの建材のフランジを外側から被う形鋼製建材用保護カバーであって、
前記フランジの両側端部に被嵌される合成樹脂製の一対の端部カバー部材と、この一対の端部カバー部材間に嵌め込んで取り付けられる合成樹脂製の中間部カバー部材とからなることを特徴とする形鋼製建材用保護カバー。
【請求項２】
中間部カバー部材の各側端部に係嵌部を長手方向全長に亘って形成し、これに対応する端部カバー部材の側端部には前記係嵌部を押し込むことにより互いに係嵌して中間部カバー部材が端部カバー部材と一体的に接合される被係嵌部を長手方向全長に亘って形成したことを特徴とする請求項１に記載の形鋼製建材用保護カバー。
【請求項３】
各端部カバー部材は、前記フランジの端面部を被う端面被い部及びフランジ端部の内側面部を被う内側面被い部からなる軟質合成樹脂製の端部部材と、フランジ端部の外側面部を被い、硬質合成樹脂製の中間部カバー部材に接合される硬質合成樹脂製の外側面被い部材とによって断面略々Ｌ字状に一体形成されていることを特徴とする請求項１又２に記載の形鋼製建材用保護カバー。
【発明の詳細な説明】
【技術分野】
【０００１】
本発明は、Ｈ形鋼やＴ形鋼などの形鋼からなる支柱や梁などの建材を外側からカバーして、形鋼に接触した際のケガの発生を防止するなどの目的で使用される形鋼製建材用保護カバーに関するものである。
【背景技術】
【０００２】
例えば、駅のプラットホームでは、屋根を支える支柱としてＨ形鋼を使用されることが多く、ホームの長手方向に沿って一定間隔おきに多数本林立している。しかして、ラッシュアワー時には大勢の通勤客が行き交う状態にあることから、幼児や老人あるいは婦人がラッシュアワー時の乗客に押されて顔や頭がＨ形鋼のフランジに触れたり、当たったりして怪我をする事故が多々発生している。また、冬場では、そのような柱のＨ形鋼に手を触れると、形鋼特有の嫌な冷熱感を受けることがある。
【発明の開示】
【発明が解決しようとする課題】
【０００３】
本発明は、ウエブとフランジとによって形成されるＨ形鋼やＴ形鋼などの形鋼からなる支柱や梁などの建材のフランジに、幼児や老人等が触れたり、当たったりして怪我の発生を極力防止し、また形鋼特有の冷熱感を軽減し、サビの発生を防止し、更には形鋼の振動による振動音を軽減できる形鋼製建材用保護カバーを提供することを目的とする。
【課題を解決するための手段】
【０００４】
上記課題を解決するための手段を、後述する実施形態の参照符号を付して説明すると、請求項１に係る発明は、ウエブＷとフランジＦとによって形成されるＨ形鋼やＴ形鋼などの形鋼からなる支柱２や梁などの建材のフランジを外側から被う形鋼製建材用保護カバー１であって、前記フランジＦの両側端部に被嵌される合成樹脂製の一対の端部カバー部材３，３と、この一対の端部カバー部材３，３間に嵌め込んで取り付けられる合成樹脂製の中間部カバー部材４とからなることを特徴とする。
【０００５】
請求項２は、請求項１に記載の形鋼製建材用保護カバーにおいて、中間部カバー部材４の各側端部に係嵌部５を長手方向全長に亘って形成し、これに対応する端部カバー部材３の側端部には前記係嵌部５を押し込むことにより互いに係嵌して中間部カバー部材４が端部カバー部材３と一体的に接合される被係嵌部６を長手方向全長に亘って形成したことを特徴とする。
【０００６】
請求項３は、請求項１又２に記載の形鋼製建材用保護カバーにおいて、各端部カバー部材３は、前記フランジＦの端面部ｆｅを被う端面被い部７及びフランジＦ端部の内側面部ｆｉを被う内側面被い部８からなる軟質合成樹脂製の端部部材９と、フランジＦ端部の外側面部ｆｏを被い、硬質合成樹脂製の中間部カバー部材４に接合される硬質合成樹脂製の外側面被い部材１０とによって断面略々Ｌ字状に一体形成されていることを特徴としている。
【発明の効果】
【０００７】
上記解決手段による発明の効果を、後述する実施形態の参照符号を付して説明すると、
請求項１に係る発明の合成樹脂製保護カバー１によれば、幼児や老人あるいは婦人がラッシュアワー時の乗客に押されて顔や頭が支柱２などの建材を形成するＨ形鋼に触れたり、当たったりして怪我をするのを極力防止することができる。また型鋼に触れた際の形鋼特有の冷熱感を軽減できる。更には該保護カバー１の樹脂表面を利用して、これに広告シールを貼ったりなどして広告面としても利用することが可能である。また、建材である形鋼の振動によって生ずる振動音を軽減でき、更にまたサビの発生を防止することができる。
【０００８】
そして、この形鋼製建材用保護カバー１は、フランジＦの両側端部に被嵌される合成樹脂製の一対の端部カバー部材３，３と、この一対の端部カバー部材３，３間に嵌め込んで取り付けられる合成樹脂製の中間部カバー部材４とからなるもので、これをフランジＦに取り付けるには、一対の端部カバー部材３，３をフランジＦの両端部に被嵌した後、この被嵌した両端部カバー部材３，３間に中間部カバー部材４を押し込むようにして嵌め込めばよいから、保護カバー１の取付作業が簡単容易となる。
【０００９】
請求項２に係る発明によれば、中間部カバー部材４側の係嵌部５を端部カバー部材３側の被係嵌部６に押し込んで互いに係嵌させるようにすることによって、端部カバー部材３に対する中間部カバー部材４の取付作業が一層簡単容易となる。
【００１０】
請求項３に係る発明によれば、フランジＦ端部への端部カバー部材３の嵌め込みが容易になると共に、人や物が当たり易く危険な箇所であるフランジＦ端部が軟質の合成樹脂で形成されているため、当たった時の衝撃を極力やわらげて一層の安全を図ることができ、ケガや破損を有効に防止でき、また外側面被い部材１０が硬質合成樹脂製であるため、この外側面被い部材１０の部分で端部カバー部材３の剛性を確保して、フランジＦへの取付状態を良好に維持することができる。また、端部カバー部材３の内側面被い部８は、Ｈ形鋼のフランジＦの内側面部ｆｉ側に若干量偏倚させた状態で成形されておくことが好ましく、これによって、フランジＦ端部への端部カバー部材３の嵌め込みの際に、内側面被い部８が弾性変形してフランジＦの内側面部ｆｉに密着して隙間が発生することがなく、且つ外観上の体裁もよい。
【発明を実施するための最良の形態】
【００１１】
図１の(a) は、本発明に係る形鋼製建材用保護カバー１を、駅のプラットホームに立設されたＨ形鋼からなる支柱２に実施した状態の外観斜視図、(b) は(a) の矢印Ｘで示す部分の拡大図、図２は形鋼製建材用保護カバー１の拡大断面図である。これらの図を参照して、本発明の形鋼製建材用保護カバー１は、支柱２を形成するＨ形鋼のフランジＦの両側端部に被嵌される合成樹脂製の一対の端部カバー部材３，３と、この一対の端部カバー部材３，３間に嵌め込んで取り付けられる合成樹脂製の中間部カバー部材４と、からなる。支柱２を形成するＨ形鋼は、ウエブＷと、これの両側端部に対向して位置するフランジＦとによって形成される。
【００１２】
図２及び図３に示すように、中間部カバー部材４の各側端部には係嵌部を構成する凸条部５が長手方向全長に亘って形成され、これに対応する各端部カバー部材３の側端部には、前記凸条部５を押し込むことにより互いに係嵌して中間部カバー部材４が端部カバー部材３と一体的に接合される被係嵌部としての凹条部６が長手方向全長に亘って形成されている。尚、中間部カバー部材４側に設ける係嵌部を凹条部６とし、端部カバー部材３側に設ける被係嵌部を凸条部５としてもよい。
【００１３】
各端部カバー部材３は、図２から分かるように、Ｈ形鋼のフランジＦの端面部ｆｅを被う端面被い部７及びフランジＦ端部の内側面部ｆｉを被う内側面被い部８からなる軟質合成樹脂製のアングル形端部部材９と、フランジＦ端部の外側面部ｆｏを被い、硬質合成樹脂製の中間部カバー部材４に接合される硬質合成樹脂製の外側面被い部材１０とによって断面略々Ｌ字状に一体形成されている。
【００１４】
図３の(a) は端部カバー部材３を示す断面図で、この図からも分かるように、この端部カバー部材３のアングル形端部部材９は、軟質合成樹脂によって比較的厚肉に形成され、外側面被い部材１０は、硬質合成樹脂によって端部部材９よりも薄肉に形成されていて、その裏面側には端部部材９側の端部に支持突条片１０ａを突設し、その反対側の端部には端部カバー部材３と接合される前記凹条部６を形成している。アングル形端部部材９を軟質合成樹脂で形成しているのは、フランジＦの端部が人や物の当たり易い危険な箇所で、当たった時の衝撃を極力和らげるためである。またこの端部部材９は、軟質合成樹脂ではあるが、比較的厚肉に形成されているため、十分な保形性を維持できる。また、端部部材９を形成する内側被い部８は、図示のように若干量内側に偏倚して形成されている。外側面被い部材１０を硬質合成樹脂で形成しているのは、この外側面被い部材１０部分で端部カバー部材３全体の剛性を確保して、フランジＦへの取付状態を良好に維持できるようにするためである。
【００１５】
図３の(b) は中間部カバー部材４を示す断面図である。この中間部カバー部材４は、硬質合成樹脂によって端部カバー部材３の外側面被い部材１０と同じ肉厚に形成され、その裏面側には前記外側面被い部材１０の支持突条片１０ａと同様な支持突条片４ａを中間部カバー部材４幅方向一定間隔おきに突設し、そして両側端部に前記凸条部５，５を形成している。尚、支持突条片４ａ，１０ａは、フランジＦの外側面に当接支持されるものである。この中間部カバー部材４も硬質合成樹脂によって形成されているから、端部カバー部材３の外側面被い部材１０と的確に接合できると共に、端部カバー部材３全体の剛性を確保して、フランジＦへの取付状態を良好に維持することができる。
【００１６】
図３の(c) は図２の矢印Ｙで示される部分の拡大図で、端部カバー部材３側の凹条部６に中間部カバー部材４側の凸条部５が係嵌した状態を示し、また同図の(d) は凸条部５が凹条部６から離脱した状態を示す。これらの図で分かるように、凸条部５の外側面には、凹条部６への係入は許すが、凹条部６からの離脱を阻止するための楔部５ａが形成され、また凹条部６の内側面には、凸条部５が係入した後に凸条部５の外側面の楔部５ａと係合して凸条部５の離脱を阻止する楔係止部６ａが形成されている。また(c) 及び(d) に示すように、凸条部５の先端部には凹条部６への突入を容易にするための溝条部１１が凸条部５の全長に亘って形成されている。
【００１７】
この形鋼製建材用保護カバー１は、図１の(a) に示すようにプラットホームの支柱２に取り付けられる場合は、普通の人の身長より高い、例えば２メートル程度の長さに形成され、図示のように人が触れ易い支柱２の下部側に取り付けられる。
【００１８】
次に、上記のように構成される形鋼製建材用保護カバー１を支柱２のフランジＦに取り付ける方法について、図４及び図５を中心に他の図を参照しながら説明する。
【００１９】
先ず、カバーすべきフランジＦの両側方に一対の端部カバー部材３，３を持ち来して、各端部カバー部材３をフランジＦの端部にその側方から嵌め込み、図４の(a) 及び(b) に示す状態とする。この状態において、各端部カバー部材３は、アングル形端部部材９の端面被い部７がフランジＦの端面ｆｅを密接状態で被うと共に、内面側に若干量偏倚している内側面被い部８がフランジＦ端部の内側面部ｆｉに接触した際に弾性変形して該内側面部ｆｉに密接状態で被い、また外側面被い部材１０がフランジＦ端部の外側面部ｆｏを被って、その支持突条片１０ａ及び凹条部６の裏面部が外側面部ｆｏに当接支持されている。
【００２０】
こうしてフランジＦの両端部に夫々端部カバー部材３を被嵌したならば、中間部カバー部材４を図５の(a) の仮想線図示のようにフランジＦの外側面側に持ち来して、この中間部カバー部材４を両端部カバー部材３，３間に嵌め込んで取り付ける。
【００２１】
この中間部カバー部材４の取り付けにあたっては、図５の(a) の仮想線で示すように、中間部カバー部材４をフランジＦの外側面に平行状態に近づけて、両側端部の凸条部５，５先端部を、その両側にある端部カバー部材３，３の凹条部６，６に嵌め込んだ状態で、この中間部カバー部材４の外側面部を例えば木ハンマーで叩けば、凸条部５，５が凹条部６，６に押し込まれて、凸条部５と凹条部６とが互いに係嵌し、これにより中間部カバー部材４は両側の端部カバー部材３，３に一体的に接合されると共に、この中間部カバー部材４と両端部カバー部材３，３とがフランジＦに一体的に取り付けられる。
【００２２】
また中間部カバー部材４を両端部カバー部材３，３間に木ハンマーで叩き込む時には、中間部カバー部材４の裏面側に突設されている複数の突条片４ａがフランジＦの外側面に支持されるから、中間部カバー部材４は、変形したりガタつくようなことがなく、的確且つスムーズにに両端部カバー部材３，３間に嵌め込まれる。また、各凸条部５の先端部に溝条部１１が凸条部５の全長に亘って形成されているから、凹条部６への突入が容易となる。
【００２３】
また、凸条部５の外側面には楔部５ａが形成され、凹条部６の内側面には、凸条部５が係入した後に凸条部５の外側面の楔部５ａと係合して凸条部５の離脱を阻止する楔係止部６ａが形成されているから、上記のように両端部カバー部材３，３間に中間部カバー部材４を一旦嵌め込めば、中間部カバー部材４は両端部カバー部材３，３から簡単に抜け出るようなことがなく、両端部カバー部材３，３と共に、支柱２のフランジＦに強固に取り付けれることになる。尚、図４及び図５には、保護カバー１をＨ形鋼の片方のフランジＦにしか取り付けていないが、他方のフランジＦにも同様に保護カバー１を取り付ける。
【００２４】
上記のようにして支柱２のフランジＦに合成樹脂製の保護カバー１を取り付けてカバーすることにより、この支柱２を形成するＨ形鋼に触れた際のケガの発生を防止できるし、形鋼に触れた際の形鋼特有の冷熱感を軽減できる。また支柱２である形鋼の振動により生ずる振動音を軽減できる。更には形鋼にサビが発生するのを防止することができる。
【００２５】
そして、この形鋼製建材用保護カバー１は、フランジＦの両側端部に被嵌される合成樹脂製の一対の端部カバー部材３，３と、この一対の端部カバー部材３，３間に嵌め込んで取り付けられる合成樹脂製の中間部カバー部材４とからなるため、これをフランジＦに取り付けるには、一対の端部カバー部材３，３をフランジＦの両端部に被嵌した後、この被嵌した両端部カバー部材３，３間に中間部カバー部材４を押し込むようにして嵌め込めばよいから、保護カバー１の取付作業が簡単容易となる。
【００２６】
上述した実施形態では、中間部カバー部材４の各側端部に、係嵌部としての凸条部５を形成し、これに対応する端部カバー部材３の側端部には、前記凸条部５を押し込むことにより互いに係嵌して中間部カバー部材４が端部カバー部材３と一体的に接合される被係嵌部として凹条部６を形成しているが、中間部カバー部材４の各側端部に凹条部６を形成し、端部カバー部材３の側端部に凸条部５を形成してもよい。このように中間部カバー部材４側の係嵌部を端部カバー部材３側の被係嵌部に押し込んで互いに係嵌させるようにすれば、端部カバー部材３に対する中間部カバー部材４の取付作業が一層簡単となる。
【００２７】
各端部カバー部材３は、フランジＦの端面部ｆｅを被う端面被い部７及びフランジＦ端部の内側面部ｆｉを被う内側面被い部８からなる軟質合成樹脂製の端部部材９と、フランジＦ端部の外側面部ｆｏを被い、硬質合成樹脂製の中間部カバー部材４に接合される硬質合成樹脂製の外側面被い部材１０とによって断面略々Ｌ字状に一体形成されているから、フランジＦ端部への端部カバー部材３の嵌め込みが容易になると共に、人や物が当たり易く危険な箇所であるフランジＦ端部が軟質の合成樹脂で形成されているため一層安全となって、ケガや破損を有効に防止でき、また外側面被い部材１０が硬質合成樹脂製であるため、この外側面被い部材１０の部分で端部カバー部材３の剛性を維持して、フランジＦへの取付状態を良好に保持できる。そして、この際に、端部カバー部材３の内側面被い部８は、Ｈ形鋼のフランジＦの内側面部ｆｉ側に若干量偏倚させた状態で成形されておくことが好ましく、これによって、フランジＦ端部への端部カバー部材３の嵌め込みの際に、内側面被い部８が弾性変形してフランジＦの内側面部ｆｉに密着して隙間が発生することがなく、且つ外観上の体裁もよい。
【００２８】
また、中間部カバー部材４の表面４ｂ及びこれに面一となっている端部カバー部材３の外側面被い部材１０の表面１０ｂにわたって広告シールを貼るなどすれば広告面として利用することができ、また広告シールを貼ることによって、中間部カバー部材４の表面４ｂと端部カバー部材３の外側面被い部材１０の表面１０ｂとの境界目地が被覆されるから、この面からの体裁も良くすることができる。
【図面の簡単な説明】
【００２９】
【図１】(a) は本発明に係る形鋼製建材用保護カバーを駅のプラットホームに立設されたＨ形鋼からなる支柱に実施した状態を示す外観斜視図、(b) は(a) の矢印Ｘで示す部分の拡大図である。
【図２】形鋼製建材用保護カバーの拡大断面図である。
【図３】(a) は端部カバー部材を示す断面図、(b) は中間部カバー部材を示す断面図、(c) は図２の矢印Ｙで示す部分の拡大図で、端部カバー部材側の凹条部に中間部カバー部材側の凸条部が係嵌した状態を示し、(d) は凸条部が凹条部から離脱した状態を示す断面図である。
【図４】(a) はＨ形鋼のフランジの両端部に端部カバー部材を取り付けた状態の平面図、(b) は同状態の正面図である。
【図５】(a) はフランジの両端部に取り付けられた両側の端部カバー部材間に中間部カバー部材を取り付けた状態を示す平面図、(b) は同状態の正面図である。
【符号の説明】
【００３０】
１            形鋼製建材用保護カバー
２            支柱（形鋼からなる建材）
Ｗ            形鋼のウエブ
Ｆ            形鋼のフランジ
３            端部カバー部材
４            中間部カバー部材
５            凸条部（係嵌部）
６            凹条部（被係嵌部）
７            端面被い部
８            内側面被い部
９            端部部材
１０          外側面被い部材
【図１】
2005336926.tif 000003
【図２】
2005336926.tif 000004
【図３】
2005336926.tif 000005
【図４】
2005336926.tif 000006
【図５】
2005336926.tif 000007